(57)【要約】      （修正有）【課題】冷蔵庫内の不快な臭いを防臭するとともに、清潔且つ衛生的な状態に保つことができる冷蔵庫用銅板を提供する。【解決手段】金属板２を銅被膜３でコーティングしてなる薄板状の冷蔵庫用銅板１を、冷蔵庫内の引っ掛け部に係止して吊下げるか、載置部の所望する場所に配置する。金属板２にコーティングした銅被膜３の防臭作用により、冷蔵庫内の食品の鮮度が低下した際に発生する特有の臭いが消臭され、不快な臭いが発生するのを防臭することができる。また、銅被膜３の殺菌作用及び抗菌作用により、冷蔵庫内に発生する雑菌の増殖を抑え、悪臭の原因となる菌を殺菌するので、冷蔵庫内を清潔且つ衛生的な状態に保つことができる。【選択図】図１
0003163467.tif 000002
【実用新案登録請求の範囲】
【請求項１】
冷蔵庫内に収容される大きさ及び形状に形成した薄板状の金属板の外面に銅被膜をコーティングして構成した
冷蔵庫用銅板。
【請求項２】
前記金属板の一部又は全体に、該金属板の厚み方向に貫通する開口部を複数形成した
請求項１に記載の冷蔵庫用銅板。
【請求項３】
前記金属板の一部又は全体に、通気性を有する網状のネット部を形成した
請求項１に記載の冷蔵庫用銅板。
【請求項４】
前記金属板の上端側に、前記冷蔵庫内の係止部に係止されるフックを設けた
請求項１〜３のいずれか一つに記載の冷蔵庫用銅板。
【請求項５】
前記金属板の上端側に、該金属板を前記冷蔵庫内の所望する部分に固定する銅板取付け具を設けた
請求項１〜３のいずれか一つに記載の冷蔵庫用銅板。
【請求項６】
前記冷蔵庫用銅板を、通気性を有する収容ケース又は収容袋に収容するとともに、該収容ケース又は収容袋に前記冷蔵庫内の所望する部分に固定される取付け手段を設けた
請求項１〜５のいずれか一つに記載の冷蔵庫用銅板。
【請求項７】
前記冷蔵庫用銅板を上下又は前後に複数枚配置し、該各冷蔵庫用銅板の間を銅板連結手段で連結した
請求項１〜６のいずれか一つに記載の冷蔵庫用銅板。
【請求項８】
前記金属板を平面視波形状又は平面視櫛歯形状となる断面形状に形成した
請求項１〜７のいずれか一つに記載の冷蔵庫用銅板。
【請求項９】
前記冷蔵庫用銅板の周縁部に合成ゴム製のカバーを被覆した
請求項１〜８のいずれか一つに記載の冷蔵庫用銅板。
【考案の詳細な説明】
【技術分野】
【０００１】
この考案は、例えば冷蔵庫、冷凍庫、保冷車、冷凍車、クーラーボックス、あるいは、食器棚、下駄箱、ごみ箱等の限られた空間中の不快な臭いを防臭する冷蔵庫用銅板に関する。
【背景技術】
【０００２】
従来、前記冷蔵庫内の不快な臭いを消臭するものとして、脱臭用の化学薬品を充填した種々の脱臭剤が提案されているが、脱臭剤に充填された化学薬品が消耗しなくなると、脱臭効果が得られなくなるため、未使用の脱臭剤に交換しなければならず、脱臭効果を長期間持続することができない。また、脱臭剤を、化学薬品の充填が許容される大きさ及び形状に形成しているので、脱臭材自体が嵩張るだけでなく、脱臭剤を置くためのスペースを冷蔵庫内に確保しなければならない。このため、冷蔵庫内に収容される食品（魚介類や野菜類、加工食品等）の収容数や収容位置が制限されるという問題がある。
【０００３】
また、他の消臭方法として、例えば既に提案済みの冷蔵庫用殺菌・脱臭筒（特許文献１参照）には、殺菌・脱臭性能に優れた銅を用いることが開示されている。  
詳述すると、脱臭筒は、多数の通気孔を有する銅材質の胴体と、胴体の下端に固定された銅材質の底部材と、胴体の上端に固定された銅材質の蓋部材とで構成している。また、胴体の内部には、活性炭繊維体が巻き付けられた多数の通気スリットを有するコアを収容している。そのコアの内部には、多数のホマノボール（硅石）を収容している。
【０００４】
しかし、特許文献１の冷蔵庫用殺菌・脱臭筒は、上述の消臭剤と同様に、脱臭筒を、コア及び活性炭繊維体及びホマノボールの収容が許容される大きさ及び形状に形成しているので、脱臭筒自体が嵩張るだけでなく、脱臭筒を配置するためのスペースを冷蔵庫内に確保しなければならず、冷蔵庫内の収容空間が狭くなる。このため、冷蔵庫内に収容される食品の収容数や収容位置が制限されることになる。
【先行技術文献】
【特許文献】
【０００５】
【特許文献１】特許第３０９８００４号公報
【考案の概要】
【考案が解決しようとする課題】
【０００６】
この考案は、冷蔵庫内の不快な臭いを防臭するとともに、清潔且つ衛生的な状態に保つことができる冷蔵庫用銅板を提供することを目的とする。
【課題を解決するための手段】
【０００７】
この考案は、冷蔵庫内に収容される大きさ及び形状に形成した薄板状の金属板の外面に銅被膜をコーティングして構成した冷蔵庫用銅板であることを特徴とする。  
上記構成によれば、冷蔵庫内に、銅被膜がコーティングされた冷蔵庫用銅板を収容しておけば、銅被膜の防臭作用により冷蔵庫内の食品の鮮度が低下した際に発生する特有の臭いが消臭され、不快な臭いが発生するのを防臭することができる。また、銅被膜の殺菌作用及び抗菌作用により冷蔵庫内に発生する雑菌の増殖を抑え、悪臭の原因となる菌を殺菌する。  
これにより、冷蔵庫内の不快な臭いを防臭するとともに、清潔且つ衛生的な状態に保つことができる。
【０００８】
この考案の態様として、前記金属板の一部又は全体に、該金属板の厚み方向に貫通する開口部を複数形成することができる。  
上記構成によれば、冷蔵庫内の雰囲気が冷蔵庫用銅板に形成した開口部を通り抜けるので、冷蔵庫の内壁と冷蔵庫用銅板との間に空気が溜まりにくく、通気性が安定して得られる。  
これにより、冷蔵庫内の雰囲気が効率よく対流するため、冷蔵庫内の防臭、殺菌、抗菌に要する処理時間を短縮することができる。
【０００９】
また、この考案の態様として、前記金属板の一部又は全体に、通気性を有する網状のネット部を形成することができる。  
上記構成によれば、前記開口部よりもネット部の通気性がよく、冷蔵庫の内壁と冷蔵庫用銅板との間に空気が溜まりにくくなる。  
これにより、冷蔵庫内の雰囲気がより効率よく対流するため、冷蔵庫内の防臭、殺菌、抗菌に要する処理時間をさらに短縮することができる。
【００１０】
また、この考案の態様として、前記金属板の上端側に、前記冷蔵庫内の係止部に係止されるフックを設けることができる。  
上記構成によれば、金属板のフックを冷蔵庫内に設けられた例えば棚枠、棚部等の係止部に係止して、冷蔵庫用銅板を冷蔵庫内の所望する部分に吊下げる。  
これにより、冷蔵庫用銅板を冷蔵庫内の所望する部分に吊下げることができる。
【００１１】
また、この考案の態様として、前記金属板の上端側に、該金属板を前記冷蔵庫内の所望する部分に固定する銅板取付け具を設けることができる。  
上記構成によれば、金属板の銅板取付け具を冷蔵庫内の所望する部分に固定する。これにより、冷蔵庫用銅板を冷蔵庫内の所望する場所に取り付けることができる。
【００１２】
また、この考案の態様として、前記冷蔵庫用銅板を、通気性を有する収容ケース又は収容袋に収容するとともに、該収容ケース又は収容袋に前記冷蔵庫内の所望する部分に固定される取付け手段を設けることができる。  
上記構成によれば、冷蔵庫用銅板が収容された収容ケース又は収容袋のフックを冷蔵庫内の係止部に係止して、冷蔵庫用銅板を冷蔵庫内の所望する部分に吊下げる。  
これにより、収容ケース又は収容袋に収容した冷蔵庫用銅板に、冷蔵庫内に収容した食品が接触するのを防止することができる。
【００１３】
また、この考案の態様として、前記冷蔵庫用銅板を上下又は前後に複数枚配置し、該各冷蔵庫用銅板の間を銅板連結手段で連結することができる。  
上記構成によれば、１枚の冷蔵庫用銅板を冷蔵庫内に収容するよりも、複数枚の冷蔵庫用銅板を上下に連結するか、前後に連結して収容すれば、銅被膜の表面積が冷蔵庫用銅板の枚数に応じて大きくなる。  
これにより、銅被膜による防臭、殺菌、抗菌の効果が高くなり、処理に要する時間を短縮することができる。
【００１４】
また、この考案の態様として、前記金属板を平面視波形状又は平面視櫛歯形状となる断面形状に形成することができる。  
上記構成によれば、平坦な金属板に銅被膜をコーティングするよりも、銅被膜の表面積が大きくなる。  
これにより、銅被膜と空気との接触面積が大きくなるので、防臭、殺菌、抗菌に要する時間を短くすることができる。
【００１５】
また、この考案の態様として、前記冷蔵庫用銅板の周縁部に合成ゴム製のカバーを被覆することができる。  
上記構成によれば、冷蔵庫用銅板を冷蔵庫内に吊下げたり、所望する場所に収容する際、合成ゴム製のカバーによって衝突時や落下時に生じる衝撃が緩和される。  
これにより、冷蔵庫用銅板の外面や冷蔵庫の内壁が傷付いたり、損傷したりするのを防止することができる。
【００１６】
前記金属板は、例えば正面から見て矩形、正方形、三角形、楕円形、台形、菱形、丸形等の所望する形状に形成することができる。また、金属板は、例えば銅板よりも材料費が安価なスチール製の板材等で構成することができる。  
なお、銅板よりも安価であれば、例えばアルミニウム、ステンレス等のスチール以外の金属からなる板材を用いてもよい。
【００１７】
金属板に銅被膜をコーティングする方法としては、例えば金属板外面に銅を鍍金する方法と、蒸着する処理と、塗布する方法と、銅箔を被覆する方法等で構成することができる。  
また、金属板の開口部は、例えば正面から見て丸形、矩形、三角形、楕円形、台形、菱形、星形等の単一形状に形成するか、これら形状を複数組み合わせた複合形状に形成する等してもよい。また、開口部を略同一又は異なる大きさに形成してもよい。
【考案の効果】
【００１８】
この考案によれば、冷蔵庫内に、銅被膜がコーティングされた冷蔵庫用銅板を収容しておけば、銅被膜の防臭作用により冷蔵庫内の食品の鮮度が低下した際に発生する特有の臭いが消臭され、不快な臭いが発生するのを防臭することができる。また、銅被膜の殺菌作用及び抗菌作用により冷蔵庫内に発生する雑菌の増殖を抑え、悪臭の原因となる菌を殺菌するので、清潔且つ衛生的な状態に保つことができる。
【００１９】
また、薄板状の冷蔵庫用銅板を収容するためのスペースが狭くて済み、冷蔵庫内の所望する場所に収容又は配置することができる。この結果、冷蔵庫内に収容される食品の収容数や収容位置が制限されず、所望する数の食品を、所望する位置に収容することができる。
【図面の簡単な説明】
【００２０】
【図１】本実施形態の冷蔵庫用銅板を斜め上方から見た斜視図。
【図２】正面視矩形を有する冷蔵庫用銅板の正面図。
【図３】図２のＡ−Ａ線矢視断面図、図２のＢ−Ｂ線矢視断面図。
【図４】冷蔵庫用銅板を収容した冷蔵庫の縦断側面図。
【図５】他の例の上下に吊下げた２枚の冷蔵庫用銅板の正面図。
【図６】その他の例の冷蔵庫用銅板を収容した収容ケースの正面図、Ｃ−Ｃ線矢視断面図。
【図７】その他の例の冷蔵庫用銅板を収容した収容袋の正面図、Ｄ−Ｄ線矢視断面図。
【図８】その他の例のネット部を形成した冷蔵庫用銅板の正面図、ネット部を構成する線条体の拡大断面図。
【図９】その他の例の前後に連結した２枚の冷蔵庫用銅板の斜視図。
【図１０】その他の例の銅板取付け具を備えた冷蔵庫用銅板の正面図。
【図１１】その他の例の平面視波形状と平面視櫛歯形状の冷蔵庫用銅板の正面斜視図。
【図１２】その他の例の合成ゴム製のカバーを周縁部に被覆した冷蔵庫用銅板の正面図。
【考案を実施するための形態】
【００２１】
この考案の一実施形態を以下図面に基づいて詳述する。  
図１は本実施形態の冷蔵庫用銅板１を斜め上方から見た斜視図、図２は正面視矩形を有する冷蔵庫用銅板１の正面図、図３の（ａ）は図２のＡ−Ａ線矢視断面図、同図の（ｂ）は図２のＢ−Ｂ線矢視断面図、図４は冷蔵庫用銅板１を収容した冷蔵庫Ａの縦断側面図である。
【００２２】
本実施形態の冷蔵庫用銅板１は、正面視矩形に形成したスチール製の金属板２の外面全体（表裏両面）に、薄膜状の銅被膜３を略均一にコーティングしたものである（図１のａ部拡大図と、図２のｂ部拡大図を参照）。  
なお、スチール製の金属板２の代わりに、例えばステンレス、プラスチック等の材質で形成された板体を用いてもよい。
【００２３】
金属板２は、１枚以上の金属板２を切り取ることが可能な大きさ及び形状に形成されたスチール板を、例えばレーザー加工機で切断するか、打ち抜き機で打ち抜く等して、平面視矩形に切り取ったものである。
【００２４】
また、金属板２の断面形状は、図３のａ，ｂに示すように、該金属板２の周縁部より内側正面部が前方に向けて厚み方向に突出し、該金属板２の周縁部が平坦な内側正面部よりも後方に後退した断面形状に形成している。  
これにより、平坦な金属板２を銅被膜３でコーティングしたものよりも変形が生じにくく、構造的強度が向上する。
【００２５】
また、金属板２の平坦に形成された正面には、正面視丸形状の開口部２ａを該金属板２の厚み方向に貫通して形成するとともに、該金属板２の正面に沿って等間隔を隔てて千鳥状に配列している。
【００２６】
金属板２の上端側左右縁部には、図４に示すように、冷蔵庫Ａ内に設けられた引っ掛け部Ａａ（例えば棚枠、棚部等）に対し係止される側面視逆Ｕ字状のフック２ｂを一体的に連設している。このフック２ｂは、金属板２の上端側左右縁部に連設した板部を、該金属板２の背面側と対向する方向へ折り曲げて側面から見て上下逆Ｕ字状に形成している。
【００２７】
また、図３のｃ部拡大図に示すように、金属板２の表裏両面を含む外面全体には、例えば銅を鍍金するか蒸着する等して、金属板２の外面全体に対して薄膜状の銅被膜３を略均一にコーティングしている。なお、銅被膜３は、防臭作用、殺菌作用、抗菌作用を発揮するのに十分な厚みに形成している。
【００２８】
実施形態において、金属板２の正面から見た高さｈは、およそ５０ｍｍに形成している。また、金属板２の正面から見た幅Ｗは、およそ２００ｍｍに形成している（図２参照）。  
金属板２の厚みｔは、およそ１ｍｍ〜１．５ｍｍの範囲に含まれる厚みに形成している（図３のａ参照）。また、厚みｔを１ｍｍ以下に変更すれば、板全体の強度が弱くなるが、重量が軽くなるため、軽量化することができる。
【００２９】
厚みｔを１．５ｍｍ以上に変更すれば、重量がやや重くなるが、板全体の強度が高くなるため、例えば窪みや折れ曲がり等の変形が生じにくくなり、耐久性が向上する。  
なお、金属板２の高さｈ及び幅Ｗ及び厚みｔは、冷蔵庫用銅板１を収容又は配置する箇所に応じて変更することができる。
【００３０】
金属板２の高さｈ及び幅Ｗを上記数値以上に変更すれば、金属板２にコーティングされた銅被膜３の表面積が大きくなる。つまり、銅被膜３と空気との接触面積が大きくなるので、防臭、殺菌、抗菌に要する時間を短くすることができる。
【００３１】
また、金属板２の高さｈ及び幅Ｗを上記数値以下に変更すれば、金属板２にコーティングされた銅被膜３の表面積が小さくなるが、冷蔵庫Ａ内の狭い箇所に配置することが可能となる。
【００３２】
上述の冷蔵庫用銅板１により冷蔵庫Ａ内の防臭、殺菌、抗菌する際の使用方法を説明する。  
先ず、図４に示すように、１枚の冷蔵庫用銅板１を冷蔵庫Ａ内の所望する箇所に吊下げる場合、冷蔵庫用銅板１の上端側左右縁部に連設されたフック２ｂを、冷蔵庫Ａ内に設けられた引っ掛け部Ａａに係止して、冷蔵庫用銅板１を冷蔵庫Ａの内壁に沿って吊下げる。或いは、冷蔵庫Ａ内に設けられた載置部Ａｂの所望する場所に配置する。
【００３３】
つまり、銅被膜３がコーティングされた冷蔵庫用銅板１を冷蔵庫Ａ内に収容しておけば、金属板２にコーティングした銅被膜３の防臭作用により、冷蔵庫Ａ内の食品の鮮度が低下した際に発生する特有の臭いが消臭され、不快な臭いが発生するのを防臭することができる。
【００３４】
また、銅被膜３の殺菌作用及び抗菌作用により、冷蔵庫Ａ内に発生する雑菌の増殖を抑え、悪臭の原因となる菌を殺菌するので、冷蔵庫Ａ内を清潔且つ衛生的な状態に保つことができる。
【００３５】
また、薄板状の冷蔵庫用銅板１を冷蔵庫Ａ内の引っ掛け部Ａａに吊下げるか、載置部Ａｂの所望する場所に配置するので、冷蔵庫用銅板１を収容するためのスペースが狭くて済み、冷蔵庫Ａの内壁と食品との間、あるいは、食品と食品との間等に配置するなど、冷蔵庫Ａ内の所望する場所に収容又は配置することができる。  
この結果、冷蔵庫Ａ内に収容される食品の収容数や収容位置が制限されず、所望する数の食品を、冷蔵庫Ａ内の所望する位置に収容することができる。
【００３６】
また、冷蔵庫用銅板１の表面が汚れても、例えば水道水、洗剤等の洗浄液で洗浄すれば、金属板２に被覆した銅被膜３の効果を回復させることができるので、長期的に使用することができる。
【００３７】
また、冷蔵庫用銅板１を、スチール製の金属板２に銅被膜３をコーティングして構成するので、銅板のみで構成するよりも、安価に製造及び販売することができる。
【００３８】
また、冷蔵庫Ａ内の雰囲気が冷蔵庫用銅板１の金属板２に形成した開口部２ａ…を通り抜けるので、冷蔵庫Ａの内壁と冷蔵庫用銅板１との間に空気が溜まりにくく、通気性が安定して得られる。これにより、冷蔵庫Ａ内の雰囲気が金属板２の開口部２ａ…を通って効率よく対流するため、冷蔵庫Ａ内の防臭、殺菌、抗菌に要する処理時間を短縮することができる。
【００３９】
また、全開口部２ａ…の開口面積が、該全開口部２ａ…を除いた金属板２の残り部分の面積よりも大きくても、その残り部分に被覆した銅被膜３により十分な効果が期待できる。これにより、開口無しの金属板２に銅被膜３を被覆するよりも、金属板２及び銅被膜３の使用量が少なくて済み、製造コストの低減を図ることができるため、安価に製造及び販売することができる。また、冷蔵庫用銅板１の全体の重量が軽く、軽量化が図れるので、取り扱い性が向上する。
【００４０】
図５は他の例の上下に連結した２枚の冷蔵庫用銅板１の正面図である。  
本例の冷蔵庫用銅板１は、金属板２の下端側に形成された左右の開口部２ａと対応する間隔を隔てて、該開口部２ａに対し係止されるフック２ｂを該金属板２の上端側左右縁部に形成している。
【００４１】
つまり、２枚の冷蔵庫用銅板１を冷蔵庫Ａ内の所望する箇所に吊下げる場合、上位側の冷蔵庫用銅板１の左右開口部２ａに、下位側の冷蔵庫用銅板１の左右フック２ｂをそれぞれ係止して、上位側の冷蔵庫用銅板１に下位側の冷蔵庫用銅板１を吊下げる。
【００４２】
２枚の冷蔵庫用銅板１を上下に吊下げたまま、上位側の冷蔵庫用銅板１の左右フック２ｂを冷蔵庫Ａ内の引っ掛け部Ａａに係止する。あるいは、上位側の冷蔵庫用銅板１を冷蔵庫Ａ内の引っ掛け部Ａａに引っ掛けてから、下位側の冷蔵庫用銅板１を上位側の冷蔵庫用銅板１に吊下げてもよい。
【００４３】
これにより、２枚の冷蔵庫用銅板１に被覆した銅被膜３が防臭、殺菌、抗菌の効果を発揮するので、前記実施形態と略同等の作用及び効果を奏することができる。  
また、１枚の冷蔵庫用銅板１を冷蔵庫Ａ内に収容するよりも、２枚の冷蔵庫用銅板１を上下に吊下げて収容すれば、金属板２に被覆した銅被膜３の表面積が冷蔵庫用銅板１の枚数に応じて大きくなる。これにより、銅被膜３による防臭、殺菌、抗菌の効果が高くなり、処理に要する時間を短縮することができる。  
なお、上述では２枚の冷蔵庫用銅板１を上下に吊下げた例を説明したが、例えば３枚、４枚等の複数枚を上下に吊下げてもよい。
【００４４】
図６（ａ）はその他の例の冷蔵庫用銅板１を収容した収容ケース６の正面図、同図（ｂ）は（ａ）のＣ−Ｃ線矢視断面図である。  
本例の収容ケース６は、正面視矩形に形成した冷蔵庫用銅板１の収容が許容される大きさ及び形状に形成している。また、収容ケース６は、プラスチックで形成した一対のケース６ａ，６ａを開閉自在に連結して構成している。
【００４５】
ケース６ａの前面には、正面視縦長形状の通気窓６ｂを該ケース６ａの厚み方向に貫通して形成するとともに、該ケース６ａの前面に沿って左右方向に複数配列している。また、収容ケース６の上端側左右縁部には、冷蔵庫Ａ内の引っ掛け部Ａａに対し係止されるフック６ｃを一体的に連設している。
【００４６】
つまり、冷蔵庫用銅板１が収容された収容ケース６を冷蔵庫Ａ内の引っ掛け部Ａａに係止するか、載置部Ａｂの所望する場所に配置しておけば、金属板２にコーティングした銅被膜３が防臭、殺菌、抗菌の効果を発揮するので、前記実施形態と略同等の作用及び効果を奏することができる。  
また、収容ケース６に収容した冷蔵庫用銅板１に、冷蔵庫Ａ内に収容した食品が接触するのを防止することができる。
【００４７】
図７（ａ）はその他の例の冷蔵庫用銅板１を収容した収容袋７の正面図、同図（ｂ）は（ａ）のＤ−Ｄ線矢視断面図である。  
本例の収容袋７は、正面視矩形に形成した冷蔵庫用銅板１の収容が許容される大きさ及び形状に形成している。また、収容袋７は、布地や不織布などの通気性を備えた素材で袋本体７ａを形成している。
【００４８】
袋本体７ａの全面には、正面視角形の通気孔７ｂを該全面に沿って多数形成している。また、袋本体７ａの一端側には、冷蔵庫用銅板１の出し入れが許容される口部（図示省略）を開閉自在に設けている。  
また、収容袋７の上端側左右縁部には、冷蔵庫Ａ内の引っ掛け部Ａａに対し係止されるフック７ｃを一体的に連設している。
【００４９】
つまり、冷蔵庫用銅板１が収容された収容袋７を冷蔵庫Ａ内の引っ掛け部Ａａに係止するか、載置部Ａｂの所望する場所に配置しておけば、金属板２にコーティングした銅被膜３が防臭、殺菌、抗菌の効果を発揮するので、前記実施形態と略同等の作用及び効果を奏することができる。
【００５０】
また、収容袋７に収容した冷蔵庫用銅板１に、冷蔵庫Ａ内に収容した食品が接触するのを防止することができる。  
なお、布地や不織布からなる収容袋７の代わりに、冷蔵庫用銅板１をネット状に形成された収納袋に収容してもよい。
【００５１】
図８（ａ）はその他の例のネット部４を形成した冷蔵庫用銅板１の正面図、同図（ｂ）はネット部４を構成する線条体４ａの拡大断面図である。  
本例の冷蔵庫用銅板１は、正面視矩形に形成したスチール製の金属枠２ｃの内側正面に、複数本の線条体４ａを格子状に交差してなる網状のネット部４を形成したものである。
【００５２】
ネット部４は、複数本の線条体４ａを格子状に交差して形成している。その線条体４ａの間には、正面視角形の通気孔４ｃを該ネット部４の全面に多数形成している。また、線条体４ａは、スチール製の金属線４ｂの外周面に、薄膜状の銅被膜３を略均一にコーティングしている。さらに、金属枠２ｃの外面全体にも銅被膜３を略均一にコーティングしている。  
また、金属枠２ｃの上端側左右縁部には、冷蔵庫Ａ内の引っ掛け部Ａａに対し係止されるフック２ｂを一体的に連設している。
【００５３】
つまり、本例の冷蔵庫用銅板１を冷蔵庫Ａ内の引っ掛け部Ａａに係止するか、載置部Ａｂの所望する場所に配置しておけば、金属枠２ｃ及び線条体４ａにコーティングした銅被膜３が防臭、殺菌、抗菌の効果を発揮するので、前記実施形態と略同等の作用及び効果を奏することができる。
【００５４】
また、前記冷蔵庫用銅板１に形成した開口部２ａよりも、本例の冷蔵庫用銅板１に形成したネット部４の通気性がよく、冷蔵庫Ａ内の雰囲気がより効率よく対流するため、冷蔵庫Ａ内の防臭、殺菌、抗菌に要する処理時間をさらに短縮することができる。
【００５５】
図９はその他の例の前後に連結した２枚の冷蔵庫用銅板１の斜視図である。  
本例の冷蔵庫用銅板１は、略同一の大きさ及び形状に形成した２枚の冷蔵庫用銅板１を、該冷蔵庫用銅板１の対向面間に通気用隙間が形成される間隔を隔てて前後に配置している。また、冷蔵庫用銅板１，１の上下及び左右の対向縁部を連結板５で連結している。
【００５６】
つまり、２枚の冷蔵庫用銅板１を連結したまま、冷蔵庫Ａ内の引っ掛け部Ａａに係止するか、載置部Ａｂの所望する場所に配置しておけば、２枚の冷蔵庫用銅板１に被覆した銅被膜３が防臭、殺菌、抗菌の効果を発揮するので、前記実施形態と略同等の作用及び効果を奏することができる。
【００５７】
また、２枚の冷蔵庫用銅板１を上下に吊下げる構成と同様に、金属板２に被覆した銅被膜３の表面積が冷蔵庫用銅板１の枚数に応じて大きくなるので、銅被膜３による防臭、殺菌、抗菌の効果が高くなり、処理に要する時間を短縮することができる。  
なお、上述では２枚の冷蔵庫用銅板１を前後に配置した例を説明したが、例えば３枚、４枚等の複数枚を前後に配置してもよい。また、連結板５に代わる連結手段として、例えばネジ、クランプ、マグネット、粘着テープ等で着脱自在に連結してもよい。
【００５８】
図１０（ａ）はその他の例の吊り金具８を備えた冷蔵庫用銅板１の正面図、同図（ｂ）は吸着パッド９Ａを備えた冷蔵庫用銅板１の正面図、同図（ｃ）はマグネット９Ｂを備えた冷蔵庫用銅板１の正面図、図（ｄ）はクランプ９Ｃを備えた冷蔵庫用銅板１の正面図である。
【００５９】
（ａ）の冷蔵庫用銅板１は、止め金具８ａ及び紐部材８ｂを介して、金属板２の上端側左右縁部に取り付けた側面から見て鉤状の吊り金具８を、冷蔵庫Ａ内の所望する引っ掛け部Ａａに係止して取り付ける。
【００６０】
（ｂ）の冷蔵庫用銅板１は、金属板２の上端側左右縁部に取り付けた柔軟性を有する吸着パッド９Ａを、該吸着パッド９Ａにより吸着可能な滑らかな面に形成された冷蔵庫Ａ内の所望する部分に対し密着状態にさせて吸着固定して取り付ける。
【００６１】
（ｃ）の冷蔵庫用銅板１は、金属板２の上端側左右縁部に取り付けた永久磁石からなるマグネット９Ｂを、該マグネット９Ｂにより吸着可能な金属で形成されるか、その金属が埋め込まれた冷蔵庫Ａ内の所望する部分に吸着固定して取り付ける。
【００６２】
（ｄ）の冷蔵庫用銅板１は、金属板２の上端側左右縁部に取り付けたクランプ９Ｃにより、冷蔵庫Ａ内の所望する部分を挟持して取り付ける。
【００６３】
つまり、冷蔵庫用銅板１の取付け手段が上述のフック２ｂのみに限定されるものではなく、吊り金具８、吸着パッド９Ａ、マグネット９Ｂ、クランプ９Ｃの中から１つ又は複数を選択して用いることにより、冷蔵庫Ａ内の所望する収容場所に取り付けることができる。これにより、前記実施形態と略同等の作用及び効果を奏することができる。
【００６４】
なお、吸着パッド９Ａ及びマグネット９Ｂを、金属板２の背面側に取り付けてもよい。また、紐部材８ｂの代わりに、例えば撚り紐、チェーン、ワイヤー、ベルト、テープ、コード等の柔軟性を有する紐状物を用いてもよい。
【００６５】
図１１（ａ）はその他の例の平面視波形状の冷蔵庫用銅板１１の正面斜視図、同図（ｂ）は平面視櫛歯形状の冷蔵庫用銅板２１の正面斜視図である。  
（ａ）の冷蔵庫用銅板１１は、正面視矩形に形成した金属板１２の外面全体を銅被膜１３でコーティングしている。また、金属板１２の正面には、平面から見て滑らかな山部１４と谷部１５とを該金属板１２の幅方向（図９中の左右方向）に連続して形成している。  
これにより、平面視波形状となる断面形状に形成している。さらに、金属板２２の上端側左右縁部には、取付け手段である側面視逆Ｕ字状のフック１２ｂを一体的に連設している。
【００６６】
（ｂ）の冷蔵庫用銅板２１は、正面視矩形に形成した金属板２２の外面全体を銅被膜２３でコーティングしている。また、金属板２２の正面には、平面から見て板状の突出部２４を前方に向けて突出するとともに、該突出部２４を金属板２２の正面に沿って幅方向（図９中の左右方向）に等間隔を隔てて複数配列している。  
これにより、平面視櫛歯形状となる断面形状に形成している。さらに、金属板２２の上端側左右縁部には、取付け手段である側面視逆Ｕ字状のフック２２ｂを一体的に連設している。
【００６７】
つまり、冷蔵庫用銅板１１，２１を、冷蔵庫Ａ内の引っ掛け部Ａａに係止するか、載置部Ａｂの所望する場所に配置しておけば、金属板１２，２２にコーティングした銅被膜１３，２３が防臭、殺菌、抗菌の効果を発揮するので、前記実施形態と略同等の作用及び効果を奏することができる。
【００６８】
また、平坦な金属板２に銅被膜３をコーティングするよりも、金属板１２，２２にコーティングした銅被膜１３，２３の表面積が、山部１４及び谷部１５の数と、突出部２４の枚数に応じて大きくなるので、銅被膜１３，２３による防臭、殺菌、抗菌の効果が高くなり、処理に要する時間を短縮することができる。
【００６９】
図１２はその他の例の合成ゴム製のカバー２５で被覆した冷蔵庫用銅板１の正面図である。  
本例の冷蔵庫用銅板１は、金属板２の周縁部全長が覆われる大きさに及び長さに形成した合成ゴム製のカバー２５を、該金属板２の周縁部に沿って被覆したものである。
【００７０】
つまり、冷蔵庫用銅板１を冷蔵庫Ａ内に吊下げたり、所望する場所に収容する際、カバー２５によって衝突時や落下時に生じる衝撃が緩和されるので、冷蔵庫用銅板１の外面や冷蔵庫Ａの内壁が傷付いたり、損傷したりするのを防止することができる。
【００７１】
また、冷蔵庫用銅板１に被覆した銅被膜３が防臭、殺菌、抗菌の効果を発揮するので、前記実施形態と略同等の作用及び効果を奏することができる。
【００７２】
この考案の構成と、前記実施形態との対応において、  
この考案の係止部は、実施形態の引っ掛け部Ａａに対応し、  
以下同様に、  
銅板取付け具は、吊り金具８と、吸着パッド９Ａと、マグネット９Ｂと、クランプ９Ｃに対応し、
取付け手段は、フック１２ｂ，２２ｂに対応し、  
銅板連結手段は、連結板５に対応するも、  
この考案は、上述の実施形態の構成のみに限定されるものではなく、請求項に示される技術思想に基づいて応用することができ、多くの実施の形態を得ることができる。
【００７３】
前記冷蔵庫用銅板１，１１，２１を吊下げ可能及び配置可能なスペースがあれば、冷蔵庫Ａ内の所望する箇所に吊下げたり配置することができるので、前記実施形態の吊下げ箇所及び配置場所のみに限定されるものではない。また、冷蔵庫用銅板１，１１，２１を、冷蔵庫Ａ内の所望する場所に複数枚吊下げるか複数枚配置してもよい。  
また、吊り金具８、吸着パッド９Ａ、マグネット９Ｂの代わりに、例えばクリップ、等の挟持具を用いて、吊下げ紐、チェーン、ワイヤー、ベルト、テープ、コード等を用いて吊下げてもよい。  
また、フック１２ｂ，２２ｂに代わる取付け手段として、例えば吊り金具８、吸着パッド９Ａ、マグネット９Ｂ、クランプ９Ｃ等を用いて取り付けてもよい。  
また、冷蔵庫用銅板１，１１，２１の表裏両面又は一方の面に、例えば文字、模様、図柄、商標等を付設してもよく、デザイン性を高めることができる。
【符号の説明】
【００７４】
Ａ…冷蔵庫
Ａａ…引っ掛け部
１…冷蔵庫用銅板
２…金属板
２ａ…開口部
２ｂ…フック
３…銅被膜
４…ネット部
４ａ…線条体
４ｂ…金属線
５…連結板
６…収容ケース
７…収容袋
８…吊り金具
９Ａ…吸着パッド
９Ｂ…マグネット
９Ｃ…クランプ
１１，２１…冷蔵庫用銅板
１２，２２…金属板
１２ｂ，２２ｂ…フック
１３，２３…銅被膜
１４…山部
１５…谷部
２４…突出部
２５…カバー
【図１】
0003163467.tif 000003
【図２】
0003163467.tif 000004
【図３】
0003163467.tif 000005
【図４】
0003163467.tif 000006
【図５】
0003163467.tif 000007
【図６】
0003163467.tif 000008
【図７】
0003163467.tif 000009
【図８】
0003163467.tif 000010
【図９】
0003163467.tif 000011
【図１０】
0003163467.tif 000012
【図１１】
0003163467.tif 000013
【図１２】
0003163467.tif 000014